(57)【要約】【課題】残留電圧が残ったまま異なる極性の帯電電圧が印加される所期以上の帯電電圧が印加され、帯電ベルトが劣化する。【解決手段】帯電ベルト４の長さＬｂとプラスの帯電幅Ｌｐ及びマイナスの帯電幅Ｌｍとは、Ｌｂ／（Ｌｐ＋Ｌｍ）＝Ｎ（Ｎ：整数）の関係、すなわち帯電ベルト４の長さＬｂをプラスの帯電幅Ｌｐとマイナスの帯電幅Ｌｍの和の整数倍になる関係が成り立つように、帯電ベルトＬｂの長さ、及び／又はプラスの帯電幅Ｌｐ（プラスの電圧のパルス幅Ｔｐ）とマイナスの帯電幅Ｌｍ（マイナスの電圧のパルス幅Ｔｍ）を設定した。【選択図】　図３
2004131242.tif 000002
【特許請求の範囲】
【請求項１】
絶縁層を有する無端状の帯電ベルトを周回自在に配設し、この帯電ベルト表面を帯電させて、用紙を静電吸着して搬送する用紙搬送装置において、前記帯電ベルト表面を交番する帯電電圧パターンで帯電させる帯電手段を備え、前記帯電電圧パターンが前記帯電ベルトの周回方向に沿って常に同一のパターンとなること特徴とする用紙搬送装置。
【請求項２】
請求項１に記載の用紙搬送装置において、前記帯電ベルトの長さをＬｂ、前記帯電ベルトの周回方向に沿う一方の極の帯電電圧パターンの長さをＬｐ、他方の極の帯電電圧パターンの長さをＬｍとしたとき、Ｌｂ／（Ｌｐ＋Ｌｍ）＝Ｎ（Ｎは整数）の関係が成り立つこと特徴とする用紙搬送装置。
【請求項３】
請求項１に記載の用紙搬送装置において、前記帯電ベルトの長さをＬｂ、前記帯電ベルトの周回方向に沿う一方の極の帯電電圧パターンの長さをＬｐ、他方の極の帯電電圧パターンの長さをＬｍとしたとき、前記帯電ベルトの長さ（Ｌｐ＋Ｌｍ）×（Ｎ−１）の領域ではＬｂ／（Ｌｐ＋Ｌｍ）＝（Ｎ−１）の関係が成り立ち、前記帯電ベルトの（Ｌｐ＋Ｌｍ）×（Ｎ−１）を越える長さＬｋ（Ｌｋ＝Ｌｂ−（Ｌｐ＋Ｌｍ）×（Ｎ−１））の領域では一方の極の帯電電圧パターンの長さをＬｐｎ、他方の極の帯電電圧パターンの長さをＬｍｎとしたとき、Ｌｋ／（Ｌｐｎ＋Ｌｍｎ）＝２の関係が成り立つこと特徴とする用紙搬送装置。
【請求項４】
請求項１ないし３のいずれかに記載の用紙搬送装置において、前記帯電ベルト表面の帯電情報を検出する帯電検出手段を有し、この帯電検出手段の検出結果に基づいて前記帯電ベルトに対する帯電を制御することを特徴とする用紙搬送装置。
【請求項５】
請求項４に記載の用紙搬送装置において、前記帯電検出手段は光学センサ又は表面電位計であることを特徴とする用紙搬送装置。
【請求項６】
請求項１ないし５のいずれかに記載の用紙搬送装置において、前記用紙の種別を検出する紙種検出手段を備え、この紙種検出手段の検出結果に基づいて前記帯電ベルトに対する帯電を制御することを特徴とする用紙搬送装置。
【請求項７】
請求項１ないし６のいずれかに記載の用紙搬送装置において、環境温度及び／又は湿度を検出する環境条件検出手段を備え、この環境条件検出手段の検出結果に基づいて前記帯電ベルトに対する帯電を制御することを特徴とする用紙搬送装置。
【請求項８】
用紙に画像を記録する画像記録装置において、前記請求項１ないし７のいずれかに記載の用紙搬送装置を備えていることを特徴とする画像記録装置。
【発明の詳細な説明】
【０００１】
【産業上の利用分野】
本発明は用紙搬送装置及び画像記録装置に関し、特に用紙を搬送するための帯電ベルトを備えた用紙搬送装置及び画像記録装置に関する。
【０００２】
【従来の技術】
【特許文献１】特許第２８９７９６０号公報
【特許文献２】特開平７−５３０８１号公報
【０００３】
プリンタ、ファクシミリ、複写装置等の画像記録装置或いは画像形成装置として、例えばインクジェット記録装置が知られている。インクジェット記録装置は、インク記録ヘッドから記録紙等の被記録媒体にインクを吐出して記録を行うものであり、高精細な画像を高速で記録することができ、ランニングコストが安く、騒音が少なく、しかも、多色のインクを使用してカラー画像を記録するのが容易であるなどの利点を有している。
【０００４】
特に、記録紙の記録幅方向の全幅に沿って多数の吐出口が配列されたインク記録ヘッドを使用したフルライン型インクジェット記録装置では、シリアル型インクジェット記録装置に比べて格段の記録の高速化が可能である。このようなフルライン型インクジェット記録装置では、高速記録の点から、記録紙の搬送方向に複数個配置されたインク記録ヘッドの直下を記録紙を一定速度で搬送し、インク滴を吐出し記録を行う。
【０００５】
この場合、
【特許文献１】や
【特許文献２】に記載されているように、記録紙の平面性を維持するために、無端状の帯電ベルトを備え、帯電ベルト表面を帯電して記録紙を静電吸着させ、この状態で帯電ベルトを周回させることで記録紙を搬送することにより、記録紙の帯電ベルトからの浮き上がりを防止して、高い平面性を維持できるようにした用紙搬送装置を備えた画像記録装置や印刷装置が知られている。
【０００６】
ここで、
【特許文献１】には帯電ベルトの表面に電圧印加手段を接触させし、帯電ベルト表面に交番する電荷パターンを、例えば、帯状に形成する用紙搬送装
置や画像記録装置が開示されている。また、
【特許文献２】には帯電ベルトに常に安定した電位を得るために、除電ブラシで帯電ベルト上の電位を除電するようにした印刷装置が開示されている。
【０００７】
【発明が解決しようとする課題】
しかしながら、
【特許文献１】に記載の用紙搬送装置や画像記録装置にあっては、帯電ベルト表面にプラス、マイナスの電荷パターンを帯状に形成する方法が開示されているが、記録紙分離後の帯電ベルト上には残留電荷が生じるため、後述するようにこの残留電荷を有する帯電ベルトへの帯電が繰り返されることになり、帯電ベルトの劣化が早くなるという課題がある。
【０００８】
また、
【特許文献２】に記載の印刷装置にあっては、常に安定した電位を得るために除電ブラシで帯電ベルト上の電位を除電しているが、除電ブラシによる除電では帯電ベルト上の電荷は完全に除去されない。そのため、初期の帯電電圧±Ｖ０に対して±Ｖｓの帯状の残留電圧が帯電ベルト表面に残る結果となる。この状態で新たに帯電電圧±Ｖ０の帯電が行われることとなるが、帯状の残留電圧±Ｖｓと、新規な帯電電圧±Ｖ０の位置関係に何ら考慮がなされていないため、絶対値で｜Ｖｓ＋Ｖ０｜の電圧が印加されることとなる。
【０００９】
このように所定の帯電電圧以上の電圧印加が繰り返し行われることによって帯電ベルトの劣化が早まり、また、特に帯電ベルト上にゴミ等があった場合には、局部的な放電の原因となり、信頼性を著しく損ねる結果となる。
【００１０】
また、記録紙を保持する吸着力から帯電電圧を決定するが、この吸着力は湿度、温度の環境条件や記録紙種類に大きく依存することが分かっている。そのため、単に一定の帯電電圧で記録紙を搬送した場合には、記録紙種類や環境条件変化で吸着力が低下し記録画像のゆがみ等の原因となるため、これら条件を考慮した帯電制御が必要である。
【００１１】
本発明は上記の課題に鑑みてなされたものであり、安定した帯電が可能で、信頼性に優れた用紙搬送装置及び画像記録装置を提供することを目的とする。
【００１２】
【課題を解決するための手段】
上記の課題を解決するため、本発明に係る用紙搬送装置は、絶縁層を有する無端状の帯電ベルトを周回自在に配設し、この帯電ベルト表面を交番する帯電電圧パターンで帯電させる帯電手段を備え、帯電電圧パターンが帯電ベルトの周回方向に沿って常に同一のパターンとなる構成とした。なお、本明細書において、「用紙」とは画像が記録される媒体、あるいは、画像が記録された媒体を含み、材質が紙に限定されるものではない。
【００１３】
ここで、帯電ベルトの長さをＬｂ、帯電ベルトの周回方向に沿う一方の極の帯電電圧パターンの長さをＬｐ、他方の極の帯電電圧パターンの長さをＬｍとしたとき、Ｌｂ／（Ｌｐ＋Ｌｍ）＝Ｎ（Ｎは整数）の関係が成り立つ構成とすることができる。
【００１４】
また、帯電ベルトの長さをＬｂ、帯電ベルトの周回方向に沿う一方の極の帯電電圧パターンの長さをＬｐ、他方の極の帯電電圧パターンの長さをＬｍとしたとき、帯電ベルトの長さ（Ｌｐ＋Ｌｍ）×（Ｎ−１）の領域ではＬｂ／（Ｌｐ＋Ｌｍ）＝（Ｎ−１）の関係が成り立ち、帯電ベルトの（Ｌｐ＋Ｌｍ）×（Ｎ−１）を越える長さＬｋ（Ｌｋ＝Ｌｂ−（Ｌｐ＋Ｌｍ）×（Ｎ−１））の領域では一方の極の帯電電圧パターンの長さをＬｐｎ、他方の極の帯電電圧パターンの長さをＬｍｎとしたとき、Ｌｋ／（Ｌｐｎ＋Ｌｍｎ）＝２の関係が成り立つ構成とすることができる。
【００１５】
さらに、帯電ベルト表面の帯電情報を検出する帯電検出手段を有し、この帯電検出手段の検出結果に基づいて帯電ベルトに対する帯電を制御することが好ましい。この場合、帯電検出手段は光学センサ又は表面電位計を用いることができる。
【００１６】
また、用紙の種別を検出する紙種検出手段を備え、この紙種検出手段の検出結果に基づいて帯電ベルトに対する帯電を制御することが好ましい。さらに、環境温度及び／又は湿度を検出する環境条件検出手段を備え、この環境条件検出手段の検出結果に基づいて帯電ベルトに対する帯電を制御することが好ましい。
【００１７】
本発明に係る画像記録装置は、本発明に係る用紙搬送装置をそなえたものである。
【００１８】
【発明の実施の形態】
以下、本発明の実施の形態を添付図面を参照して説明する。本発明に係る用紙搬送装置を含む画像記録装置の第１実施形態について図１を参照して説明する。なお、同図は同実施形態に係る画像記録装置としてのフルライン型インクジェット記録装置の要部概略構成図である。
【００１９】
このフルライン型インクジェット記録装置は、用紙に向けてインクを吐出して印字を行うフルラインヘッド１ａ〜１ｄで構成されるフルラインヘッド系、フルラインヘッド１ａ〜１ｄのそれぞれに対応し、かつ、上面にフルラインヘッド１ａ〜１ｄをキャップをする機能を有するキャップ体２ａ〜２ｄで構成される保守回復系、用紙を吸着して搬送する帯電ベルト４及びこの帯電ベルト４を駆動するメインローラ６及び従動ローラ７で構成される用紙搬送系、帯電ベルト４上に用紙８を送り込む給紙ローラ９、１０で構成される給紙系、帯電ベルト４を帯電させるための帯電手段である帯電ローラ１１、この帯電ローラ１１に対して帯電電圧を印加する高圧回路１２及びこの高圧回路１２よる電圧の印加を制御する制御回路１３等からなる帯電制御系などを備えている。
【００２０】
先ず、フルラインヘッド系及び保守回復系について説明する。
フルラインヘッド１ａ〜１ｄは、用紙の略幅方向に複数の吐出口を有しており、図示しないヘッド枠体に係合されている。これらのフルラインヘッド１ａ〜１ｄは、ヘッド枠体に設けられたラック歯車及びモータにより矢印Ａ方向（用紙面に対して垂直方向）に移動可能としている。また、フルラインヘッド１ａ〜１ｄは、帯電ベルト４の用紙搬送方向に沿って順に配列されている。
【００２１】
フルラインヘッド１ａ〜１ｄに対応するキャップ体２ａ〜２ｄは、図示しないキャップ枠体に係合されており、その上面には、フルラインヘッド１ａ〜１ｄの下面に形成された吐出口をキャップするためのキャップ部材が設けられている。また、このキャップ枠体は、モータにより矢印Ｂ方向（用紙搬送方向と平行な方向）に移動可能に設けている。
【００２２】
これにより、フルラインヘッド１ａ〜１ｄは記録時には帯電ベルト４上の用紙に近接してインク滴を吐出することで用紙８に記録を行う。また、非記録時にはフルラインヘッド１ａ〜１ｄを上昇し、キャップ体２ａ〜２ｄをフルラインヘッド１ａ〜１ｄ直下に移動させた後、更にフルラインヘッド１ａ〜１ｄを下降することによりキャッピング状態とし、フルラインヘッド１ａ〜１ｄの吐出口からのインク蒸発によるインク粘度増加を防止する。
【００２３】
さらに、キャップ体２ａ〜２ｄにブレードを配置することにより吐出口をクリーニングしたり、キャッピング状態で予備吐出を行うことにより、正常なインク吐出動作を維持することができる。
【００２４】
次に、給紙系及び本発明に係る用紙搬送装置（搬送系）について説明する。
用紙８は給紙ローラ９、１０により帯電ベルト４上に給紙される。この帯電ベルト４は、絶縁層を有し、メインローラ６と従動ローラ７との間に掛け渡されており、矢印Ｃ方向に周回するように構成している。また、帯電ベルト４の内側には、フルラインヘッド１ａ〜１ｄに対応する位置に、用紙８の平面性を保持するためのプラテン（ガイド部材）３を配置している。
【００２５】
この帯電ベルト４に接して帯電ローラ１１を設け、帯電ローラ１１は帯電ベルト４に対して従動する構成としている。帯電ローラ１１は導電ゴムを主体としており、高圧回路１２によって高圧が印加されることで帯電ベルト４を所定の極性、パターンに帯電させる。制御回路１３は、高圧回路１２の出力をプラス出力とマイナス出力とが交互に繰り返すよう、つまり交番する電圧が出力されるように制御することで、帯電ベルト４を交番する帯電電圧パターンで帯電させる。また、帯電ベルト４に接して残留電圧を除去するための除電ブラシ１４を配置している。
【００２６】
その結果、図２に示すように、帯電ベルト４上の帯電パターン１５は、用紙８の周回方向である副走査方向に、プラスとマイナスが所定の幅で帯状に交互に帯電されたものとなる。このプラス、マイナス交互に帯電した帯電ベルト４上に用紙８が給紙ローラ９、１０により給紙されると、用紙８内で帯電パターンと反対の電荷に分極するので、平行接続されたコンデンサが形成されたこととなり、用紙８が帯電ベルト４に吸着され、帯電ベルト４の周回移動によって用紙８が搬送される。
【００２７】
そこで、このような帯電ベルトを用いた用紙搬送における帯電ベルトの残留電圧について説明する。
帯電ローラ１１で帯電された帯電ベルト４上の電位は時間ｔと共に初期電位Ｖｏより減衰し、その表面電位は帯電ベルト４の体積抵抗をＲ，比誘電率をε＊、真空の誘電率をε０とした場合、Ｖ＝Ｖ０ｅｘｐ（−ｔ／ε＊ε０Ｒ）となる。
【００２８】
用紙８を保持する吸着力や、用紙８を帯電ベルト４から分離するための分離性能から帯電ベルト４の体積抵抗Ｒや比誘電率ε＊が決定されるが、帯電ベルト４上の電圧は完全には除去できずに残留電圧として残り、再び帯電ローラ１１による帯電が行われる。このとき、帯電ローラ１１の上流には、常に安定した帯電を行うことを目的として、帯電ベルト４の除電を行うため除電ブラシ１４が設けているが、除電ブラシ１４による残留電圧の除去は完全には行うことができない。
【００２９】
そのため、例えば、帯電ローラ１１により±２．３ＫＶの帯電を行った場合、除電ブラシ１４による除電後に±３００Ｖ程度の残留電圧が帯電ベルト４上に残る。ここで、この残留電圧のパターンは帯電ローラ１１の帯電電圧パターンと同期がとられない場合、新たに帯電ローラ１１により±２．３ＫＶの帯電を行うと、絶対値で最悪２．６ＫＶが帯電ベルト４に印加されることとなる。このような、所期の帯電電圧以上の電圧印加を行うと、帯電ベルト４の劣化を早めたり、特に帯電ベルト４上にゴミ等があった場合には、局部的な放電の原因となり、信頼性を著しく損ねる結果となる。
【００３０】
そこで、このインクジェット記録装置においては、帯電電圧パターンの同期が取れるようにして、帯電電圧パターンが常に同一の帯電電圧パターンになるようにしている。
【００３１】
まず、本発明による帯電制御の第１例について図３を参照して説明する。同図（ａ）は高圧回路１２から帯電ローラ１１に印加する印加電圧を示すものであり、パルス幅Ｔｐのプラス電圧とパルス幅Ｔｍのマイナス電圧を連続して交互に出力して、帯電ベルト４を帯電する。
【００３２】
この印加電圧で帯電ベルト４を帯電したときに、帯電ベルト４表面の帯電状態（帯電電圧パターン）は、同図（ｂ）に示すようになる交番する帯電電圧パターンとなる。なお、同図（ｂ）は帯電ベルト４を説明を簡単にするために切断して展開した状態で示している。
【００３３】
ここで、帯電ベルト４の長さＬｂとプラスの帯電幅（帯電幅：周回方向の帯電長さ）Ｌｐ及びマイナスの帯電幅Ｌｍとは、Ｌｂ／（Ｌｐ＋Ｌｍ）＝Ｎ（Ｎ：整数）の関係、すなわち帯電ベルト４の長さＬｂをプラスの帯電幅Ｌｐとマイナスの帯電幅Ｌｍの和の整数倍になる関係が成り立つように、帯電ベルトＬｂの長さ、及び／又はプラスの帯電幅Ｌｐ（プラスの電圧のパルス幅Ｔｐ）とマイナスの帯電幅Ｌｍ（マイナスの電圧のパルス幅Ｔｍ）を設定している。同図（ｂ）の例では、Ｌｂ／（Ｌｐ＋Ｌｍ）＝Ｎの式において、Ｎ＝５になる関係に設定した場合を示している。
【００３４】
したがって、帯電ベルト４は初期の帯電電圧±Ｖ０で帯電され、除電ブラシ１４による除電後に、表面に±Ｖｓの帯状の残留電圧がある状態で再度帯電が開始されるが、この帯電電圧パターンと残留電圧のパターンが一致するため、帯電ベルト４に印加される電圧は初期帯電電圧｜Ｖ０｜を越えない。
【００３５】
これに対して、同図（ｃ）に示すように、帯電ベルト４´の長さＬｂ´がプラスの帯電幅Ｌｐとマイナスの帯電幅Ｌｍの和の整数倍から外れた場合には、例えば帯電ベルト４は初期の帯電電圧＋Ｖ０と−Ｖ０で交互に帯電され、除電ブラシ１４による除電後に、表面に±Ｖｓの帯状の残留電圧がある状態で再度帯電が開始されることになり、＋Ｖ０で帯電された領域に再帯電が−Ｖ０で行われると、残留電圧が＋Ｖｓであることから、帯電ベルト４´に印加される電圧は絶対値で｜Ｖ０＋Ｖｓ｜なり、帯電ベルト４´には初期帯電電圧｜Ｖ０｜を越える電圧が印加される。
【００３６】
このように、帯電ベルト４をプラスとマイナスを所定の幅で帯状に交互に帯電させる場合に、帯電ベルト４の長さＬｂをプラスの帯電幅Ｌｐとマイナスの帯電幅Ｌｍの和の整数（Ｎ）倍となる関係が成り立つようにすることで、帯電ベルト４に印加される電圧が絶対値で初期帯電電圧Ｖ０を越えないようにすることができ、帯電ベルトの劣化を防止することができ、信頼性が向上する。
【００３７】
次に、第２例について図４を参照して説明する。この例は、帯電ベルトの長さと帯電幅の関係がそもそも上記条件を満たさない場合、或いは、初期設定時には上記条件を満たしたが、用紙の安定搬送のために帯電幅Ｌｐとマイナスの帯電幅Ｌｍを変更した場合に、帯電ベルト４の一部の帯電幅を調整するようにした例である。
【００３８】
同図（ａ）は高圧回路１２から帯電ローラ１１に印加する印加電圧を示すものであり、パルス幅Ｔｐのプラス電圧とパルス幅Ｔｍのマイナス電圧を連続して交互に出力するとともに、所定のタイミングで、パルス幅を切り替えて、パルス幅Ｔｐｎのプラス電圧とパルス幅Ｔｍｎのマイナス電圧を連続して交互に出力することで、帯電ベルト４を帯電させる。
【００３９】
この印加電圧で帯電ベルト４を帯電したときに、帯電ベルト４表面の帯電状態（帯電電圧パターン）は、同図（ｂ）に示すようになる交番する帯電電圧パターンとなる。なお、同図（ｂ）は帯電ベルト４を説明を簡単にするために切断して展開した状態で示している。
【００４０】
ここで、帯電ベルト４の長さＬｂは（Ｌｐ＋Ｌｍ）の整数（Ｎ）倍を越える長さになっている。この例では、上述したＬｂ／（Ｌｐ＋Ｌｍ）＝Ｎの式に当てはめると、Ｎ＝４で、余りが生じる長さになっている。
【００４１】
そこで、帯電ベルト４の長さ（Ｌｐ＋Ｌｍ）×（Ｎ−１）の領域では、前述したのと同様にして、Ｌｂ／（Ｌｐ＋Ｌｍ）＝（Ｎ−１）の関係が成り立つようにする。そして、帯電ベルト４の長さが（Ｌｐ＋Ｌｍ）×（Ｎ−１）を越える領域、すなわち帯電ベルト４の長さＬｋ（Ｌｋ＝Ｌｂ−（Ｌｐ＋Ｌｍ）×（Ｎ−１））の領域では、交番印加電圧のパルス幅を変化させることで、プラスの新規な帯電幅をＬｐｎ、マイナスの新規な帯電幅をＬｍｎとしたとき、Ｌｋ／（Ｌｐｎ＋Ｌｍｎ）＝２の関係が成り立つように交番する帯電電圧パターンの帯電幅を変化させる。この帯電幅の切替は、制御回路１３から高圧回路１２に与える制御信号を切り替えることによって、帯電ローラ１１に対する印加電圧のパルス幅をパルス幅Ｔｐ、Ｔｍからパルス幅Ｔｐｎ、Ｔｍｎに切り替えることで行う。
【００４２】
このように、帯電ベルト４の長さが（Ｌｐ＋Ｌｍ）の整数倍でない場合、あるいは、初期設定時には上記条件を満たしたが、用紙の安定搬送のために帯電幅Ｌｐとマイナスの帯電幅Ｌｍを変更した場合に、帯電ベルト４の一部の帯電幅を調整するようにしたので、帯電ベルト４に印加される電圧が初期帯電電圧｜Ｖ０｜を越えないようにすることができ、帯電ベルト４の劣化を防止でき、信頼性が向上する。
【００４３】
次に、本発明の第２実施形態について図５を参照して説明する。この実施形態では、除電ブラシ１４と帯電ローラ１１との間に、帯電ベルト４の帯電情報を検出する帯電検出手段１６を配置し、この帯電検出手段１６の出力を検出回路１７を介して制御回路１３に入力し、制御回路１３は検出回路１７からの検出結果に基づいて、高圧回路１２に対する制御信号を変化させて帯電ベルト４の帯電を制御するようにしている。
【００４４】
この実施形態の帯電制御について図６を参照して説明する。なお、同図は使用される帯電ベルト４の長さと帯電パターンの長さを説明するもので、説明を容易にするため、帯電ベルト４を切断し展開した状態を示している。
【００４５】
帯電ベルト４の長さＬｂ内には長さＬｃの帯電電圧パターン１５が形成されている。非帯電領域の長さ（Ｌｓ＋Ｌｅ）は連続記録時の用紙間距離に相当するように設定している。ここでは、帯電検出手段１６として、光学センサを使用し、帯電ベルト４上の一部に反射率の高い反射部材１８を設け、センサで読み取った帯電ベルト４の反射量を検出回路１７に送ることにより、帯電ベルト４上の反射部材１８の位置を検出することができる。
【００４６】
そこで、制御回路１３は、反射部材１８の位置情報をもとに帯電ローラ１１により帯電ベルト４に帯電電圧±Ｖ０で帯状の帯電を行う。除電ブラシ１４による除電が行われた後の帯電ベルト４は帯状の残留電圧±Ｖｓの状態で再度帯電ローラ１１により帯電される。このとき、再び反射部材１８の位置が光学センサ（帯電検出手段１６）で読み取られ、この位置情報をもとに初期の帯電時と同じ位置に、同じ極性で、帯電電圧パターン長さＬｃにわたる帯電が行われる。
【００４７】
また、除電ブラシ１４と帯電ローラ１１との間の帯電検出手段１６としては、例えば表面電位計を用いることもできる。表面電位計は、帯電ベルト４の電圧値、極性、及び帯状パターン幅（帯電幅）の検出が可能である。表面電位計と帯電ローラ１１間の距離と帯電ベルト４の搬送速度を考慮することにより、帯電情報を得ることができる。
【００４８】
すなわち、この表面電位計の帯電情報をもとに制御回路１３は帯電ローラ１１により帯電ベルト４に帯電電圧±Ｖ０で帯状の帯電を行う。除電ブラシ１４による除電が行われた後の帯電ベルト４は帯状の残留電圧±Ｖｓの状態で再度帯電ローラ１１により帯電される。このとき、表面電位計で検出した帯電情報をもとに再度帯電を行うため、初期の帯電時と同じ帯電幅、極性で帯電を行うことができる。
【００４９】
このように、光学センサや、表面電位計などの検出手段を用いて帯電ベルトの帯電情報を検出し、帯電ベルト上のプラス及びマイナスの残留電圧パターンに対して、帯電の極性が反対にならないように帯電制御することにより、常に安定した帯電が可能で、信頼性が向上する。この場合、前記第１実施形態と組み合せて適用してもよいし、本実施形態のみ独立して適用してもよい。
【００５０】
次に、本発明の第３実施形態について図７を参照して説明する。用紙８を保持する吸着力や、用紙８を帯電ベルト４から分離するための分離性能から帯電電圧が決定されるが、この吸着力は湿度、温度の環境条件や用紙種類に大きく依存する。このため、一定の帯電電圧で用紙を搬送した場合には、用紙種類や環境条件変化で吸着力が低下し、記録画像のゆがみ等の原因となる。
【００５１】
そこで、この実施形態では、用紙８の種別（種類）を検出する用紙種別検出手段２１とその検出回路２２、環境温度、ここでは特に帯電ローラ１１近傍の温度を検出する温度検出手段２３とその検出回路２４、環境湿度、同じくここでは特に帯電ローラ１１近傍の湿度を検出する湿度検出手段２５とその検出回路２６をそれぞれ設け、各検出回路２２、２４、２６の検出信号を制御回路１３に入力している。制御回路１３は、前述した帯電情報のほか、これらの用紙種別、環境条件に基づいて高圧回路１２による帯電ローラ１１に対する印加電圧を制御することで、帯電ベルト４の帯電を制御する。
【００５２】
ここで、用紙種別検出手段２１としては、光学センサユニットを使用することができる。センサで読み取った用紙の反射量を検出回路２２に送り、検出回路２２では反射量から、白基準シートの反射量を基準とした反射率を求めるとともに、予め用紙の種類と反射率とを対応づけた判別テーブルを参照して、該当する用紙の種類を判別検出し、得られた用紙種類データを制御回路１３に出力する。
【００５３】
温度検出手段２３、湿度検出手段２５としては、通常の温度センサや湿度センサを使用することができる。検出回路２３、２５により帯電ローラ１１近傍の温度、湿度を検出して制御回路１３に出力する。
【００５４】
制御回路１３では、予めメモリーに記憶されている、用紙種、温度、及び湿度と帯電条件を対応づけたテーブルを参照して、帯電ローラ１１への電圧印加条件を決定する。ここで、帯電ローラ１１への電圧印加条件としては電圧値、帯電パターン幅、及び両者の組合せを用いることができる。
【００５５】
このように、用紙種別や温湿度などの環境条件を検出する検出手段を設けて、用紙種別や環境条件に応じて帯電を制御することにより、用紙種別や環境条件が変化した場合でも、帯電ベルトに印加される電圧が初期帯電電圧を越えないようにすることができ、安定した帯電が可能で、信頼性が向上する。
【００５６】
なお、上記実施形態においては、本発明をライン型インクジェット記録装置に適用した例で説明したが、シャトル型（シリアル型）インクジェット記録装置やその他の記録装置にも同様に適用することができ、また、自動原稿読取装置、イメージスキャナなどに含まれる用紙搬送装置にも同様に適用することができる。
【００５７】
【発明の効果】
以上説明したように、本発明に係る用紙搬送装置画像記録装置によれば、交番する帯電電圧パターンで帯電ベルトを帯電させるときに常に同一のパターンとするので、帯電ベルトの劣化を防止でき、信頼性が向上する。
【００５８】
本発明に係る画像記録装置によれば、本発明に係る用紙搬送装置を備えているので、帯電ベルトの劣化を防止でき、信頼性が向上する。
【図面の簡単な説明】
【図１】本発明に係る用紙搬送装置を含む画像記録装置の第１実施形態を示す要部概略構成図
【図２】帯電電圧パターンの模式的説明図
【図３】本発明に係る用紙搬送装置における帯電電圧パターンの第１例の説明に供する模式的説明図
【図４】本発明に係る用紙搬送装置における帯電電圧パターンの第２例の説明に供する模式的説明図
【図５】本発明に係る用紙搬送装置を含む画像記録装置の第２実施形態を示す要部概略構成図
【図６】同実施形態における帯電電圧パターン及び帯電制御の説明に供する模式的説明図
【図７】本発明に係る用紙搬送装置を含む画像記録装置の第３実施形態を示す要部概略構成図
【符号の説明】
１ａ〜１ｄ…フルラインヘッド、２ａ〜２ｄ…キャップ体、４…帯電ベルト、８…用紙、１１…帯電ローラ、１３…制御回路。
【図１】
2004131242.tif 000003
【図２】
2004131242.tif 000004
【図３】
2004131242.tif 000005
【図４】
2004131242.tif 000006
【図５】
2004131242.tif 000007
【図６】
2004131242.tif 000008
【図７】
2004131242.tif 000009